(57)【要約】【課題】簡単な構成でカプセル内視鏡の動作状態を切り替える。【解決手段】カプセル外殻１１の内壁１１Ｃに第１の接点部２４及び板ばね２５を設ける。板ばね２５は復元された状態で折り曲げ先端部２５Ｅが第１の接点部２４に接触する。内壁１１Ｃに保持部材５０を回動可能に保持するヒンジ部５１を設ける。板ばね２５は初期状態において、立設した保持部材５０に押され、右方向に撓み変形している。この状態で、折り曲げ先端部２５Ｅは第１の接点部２４から離間する。板ばね２５を突起４２及び防水部材２３を介して外部から右方向に押圧すると共に、保持部材５０をその自重によってヒンジ部５１を中心に回動させて倒す。外部からの押圧が解放すると、板ばね２５は復元し、折り曲げ先端部２５Ｅが第１の接点部２４に接触する。防水部材２３は穴２１をシールする。【選択図】図１
2008264083.tif 000002
【特許請求の範囲】
【請求項１】
嚥下可能な飲み込み型医療機器の外殻の内部に設けられた回路の動作を切り替えるための動作切替機構であって、
前記外殻内部に設けられ、電気的に接続されることにより前記回路の動作を切り替える第１及び第２の接点部と、
前記外殻の内部に変位可能に設けられた保持部材と、
前記保持部材によって押圧されて変形させられ、その変形した状態で保持されるばね部材とを備え、
前記保持部材が変位することにより前記ばね部材が復元し、その復元力によって、前記第２の接点部が変位し、前記第２の接点部が前記第１の接点部に電気的に接続され、又は切断されることを特徴とする動作切替機構。
【請求項２】
前記ばね部材は、前記保持部材の押圧の反作用によって、ばね力を前記保持部材に作用させており、
外力によって前記ばね部材が押され、前記保持部材に対するばね力が解放され、前記保持部材が変位することを特徴とする請求項１に記載の動作切替機構。
【請求項３】
前記外殻の一部に穴が設けられ、その穴の内部に挿入される挿入部を介して前記ばね部材が押されることを特徴とする請求項２に記載の動作切替機構。
【請求項４】
前記穴を囲むように前記外殻に設けられた被密着部と、
前記被密着部に対して変位可能に設けられ、前記被密着部に密着することによって、前記穴をシール可能な密着部とを備え、
前記保持部材が変位すると、前記ばね部材の復元力により前記密着部が変位し前記被密着部に密着して穴をシールすることを特徴とする請求項３に記載の動作切替機構。
【請求項５】
前記被密着部は前記外殻の内壁側に形成されると共に、前記密着部は外殻の内部側に設けられ、
前記密着部は、前記ばね部材によって、前記外殻の内部から前記内壁に向けて押圧変位させられることにより、前記被密着部に密着することを特徴とする請求項３に記載の動作切替機構。
【請求項６】
前記挿入部は、前記外殻の外部から前記穴に挿入される外側挿入部と、前記密着部と一体に形成された内側挿入部とを含み、
前記ばね部材は、前記外側挿入部及び前記内側挿入部を介して外部から押されることを特徴とする請求項５に記載の動作切替機構。
【請求項７】
前記保持部材は前記外殻の内壁に立設させられており、前記内壁に取り付けられたヒンジ部を中心に回動することにより倒されて変位することを特徴とする請求項１に記載の動作切替機構。
【請求項８】
前記保持部材は、糸状部材によって前記内壁に接続することを特徴とする請求項１に記載の動作切替機構。
【請求項９】
前記保持部材は、所定の移動空間内を移動可能であって、前記移動空間が前記ばね部材と前記外殻とによって区画されることを特徴とする請求項１に記載の動作切替機構。
【請求項１０】
前記保持部材は、前記飲み込み型医療機器の姿勢が変化させられて、自重により変位することを特徴とする請求項１に記載の動作切替機構。
【請求項１１】
前記回路に電力を供給する電池を備え、
前記第２の接点部が前記電池の一方の端部に設けられた電極であり、
前記ばね部材が前記電池の他方の端部に支持され、
前記一方の端部が前記保持部材によって押圧されることにより、前記ばね部材が前記電池を介して変形させられることを特徴とする請求項１に記載の動作切替機構。
【請求項１２】
前記ばね部材はその一端部が前記電池の他方の端部に支持され、他端部が前記外殻の内壁に設けられた支持部材に支持されるコイルばねであることを特徴とする請求項１１に記載の動作切替機構
【請求項１３】
前記ばね部材は、基端部が前記外殻の内壁に固定され、かつ先端部が前記第２の接点部に形成された板ばねであり、
前記板ばねは、前記保持部材の押圧により、前記基端部を起点に撓み変形させられて保持されることを特徴とする請求項１に記載の動作切替機構。
【請求項１４】
前記板ばねは、前記基端部を有する第１の本体部と、前記先端部を有する第２の本体部と、前記第１及び第２の本体部を接続し、これら本体部よりも細幅に形成された接続部とによって一体に形成され、
前記板ばねが復元されると、その復元力によって、前記板ばねの先端部が前記第１の接点部に押圧して接触すると共に、前記第２の本体部が前記接続部を起点に折り曲げられることを特徴とする請求項１３に記載の動作切替機構。
【請求項１５】
前記第２の接点部に電気的に接続されることにより、前記回路とは別の回路の動作を切り替える第３の接点部を備え、
前記ばね部材の復元力が解放されることにより、前記第２の接点部が変位し、前記第３及び第２の接点部の電気的な接続が切断されると共に、前記第１及び第２の接点部が電気的に接続されることを特徴とする請求項１に記載の動作切替機構。
【請求項１６】
前記第３の接点部は板ばねで構成され、その一面から突出する突出部を有し、
前記第１の接点部は、絶縁膜を介して前記第３の接点部の一面に固定されると共に、
前記突出部の突出高さは、前記第１の接点部の高さより高く、
前記ばね部材が変形した状態で、前記第２の接点部は、前記突出部の先端部に当接すると共に、前記第１の接点部を覆うように配置され、
前記ばね部材の復元力により、前記第２の接点部が変位することによって、前記突出部を介して、前記第３の接点部が押圧され撓み変形させられると共に、前記第１の接点部を覆う第２の接点部の一部が前記第１の接点部に接触し、
その接触した後は前記第１の接点部を介して、前記第３の接点部が前記ばね部材によって押圧されて撓み変形させられ、前記第３の接点部の突出部が前記第２の接点部から離間することを特徴とする請求項１５に記載の動作切替機構。
【請求項１７】
前記回路は、第１及び第２の回路を含み、
前記第１及び第２の回路それぞれは、前記第１及び第２の接点部それぞれに電気的に接続され、
前記第２の接点部が前記第１の接点部に電気的に接続され、又は切断されて、前記第１の回路と前記第２の回路との接続状態が変化することを特徴とする請求項１に記載の動作切替機構。
【請求項１８】
前記第１及び第２の回路それぞれは、一方が電源であり、他方が前記電源からの供給電力により動作する動作回路であることを特徴とする請求項１７に記載の動作切替機構。
【発明の詳細な説明】
【技術分野】
【０００１】
本発明は、カプセル内視鏡等の飲み込み型医療機器における動作切替機構に関し、特に使用開始時における動作切替の機構に関する。
【背景技術】
【０００２】
近年、胃腸等の体内を撮影するための内視鏡として、飲み込み型のカプセル内視鏡が実用化されつつある。カプセル内視鏡は、その内部に設けられた電池等によって、内部回路が駆動されるが、電池の充電量は限られており、電池による回路駆動は短時間しか行うことができない。したがって、嚥下直前に医師等によって電源が投入され、内部回路の駆動が開始されるのが一般的である。この電源投入動作は、防水等の観点からカプセル内視鏡を分解させず、かつ簡単な操作で行われることが望ましい。
【０００３】
従来、カプセル内視鏡の使用開始に当たって、カプセル内視鏡の電源を投入するための機構としては、磁石を備えるケース内にカプセル内視鏡が保管され、その保管ケースからカプセル内視鏡が取り出されると、磁場変化に基づき、カプセル内視鏡の電源が投入される機構が知られている（特許文献１参照）。このような機構によれば、カプセル内視鏡をケースから取り出すことによって自動的に電源が投入されるので、カプセル内視鏡を分解せずに、電源を投入することができ、電源投入操作を簡素化することができる。
【特許文献１】特表２００３−５２３７９５号公報
【発明の開示】
【発明が解決しようとする課題】
【０００４】
特許文献１に記載された機構によれば、各カプセル内視鏡を保管するための保管ケースそれぞれに磁石が設けられ、カプセル内視鏡の数に応じた数の磁石が必要となる。しかし、カプセル内視鏡及び保管ケースは通常使い捨てで使用されるので、上記機構によれば大量の磁石が必要とされる。
【０００５】
そこで、本発明は、上記問題点に鑑みて成されたものであり、磁石を用いず、かつカプセル内視鏡を分解せずに、簡単な構成で電源投入などの動作を切り替えることが可能な動作切替機構を提供することを目的とする。
【課題を解決するための手段】
【０００６】
本発明に係る動作切替機構は、嚥下可能な飲み込み型医療機器の外殻の内部に設けられた回路の動作を切り替えるための動作切替機構であって、外殻内部に設けられ、電気的に接続されることにより回路の動作を切り替える第１及び第２の接点部と、外殻の内部に変位可能に設けられた保持部材と、保持部材によって押圧されて変形させられ、その変形した状態で保持されるばね部材とを備える。そして、保持部材が変位することよりばね部材が復元し、その復元力によって、第２の接点部が変位し、第２の接点部が第１の接点部に電気的に接続され、又は切断されることを特徴とする。
【０００７】
ばね部材は、保持部材の押圧の反作用によって、ばね力を保持部材に作用させている。例えば、外力によってばね部材が押され、保持部材に対するばね力が解放されることにより、保持部材が変位する。また、外殻の一部に穴が設けられ、その穴の内部に挿入される挿入部を介してばね部材が押されることが好ましい。
【０００８】
穴が設けられる場合、穴をシールするために、穴を囲むように外殻に設けられた被密着部と、被密着部に対して変位可能に設けられ、被密着部に密着することによって、穴をシール可能な密着部とを備える。密着部は、保持部材が変位すると、ばね部材の復元力により変位し、被密着部に密着して穴をシールする。被密着部は例えば外殻の内壁側に形成される。例えば、密着部は、ばね部材によって、外殻の内部から内壁に向けて押圧変位させられることにより、被密着部に密着する。また、挿入部は、外殻の外部から穴に挿入される外側挿入部と、密着部と一体に形成された内側挿入部とを含み、ばね部材は、外側挿入部及び内側挿入部を介して外部から押されることが好ましい。
【０００９】
保持部材は例えば外殻の内壁に立設させられている。そして保持部材は、例えば内壁に取り付けられたヒンジ部を中心に回動することにより倒されて変位する。また、保持部材は、糸状部材によって内壁に接続していても良い。保持部材は、例えば、飲み込み型医療機器の姿勢が変化させられて、自重により変位しても良い。また保持部材は、例えば、所定の移動空間内を移動可能であって、その移動空間が例えばばね部材と外殻とによって区画されている。
【００１０】
回路に電力を供給する電池を備える場合、例えば、第２の接点部は電池の一方の端部に設けられた電極である。ばね部材は電池の他方の端部に支持される。電池の一方の端部は保持部材によって押圧されることにより、ばね部材が電池を介して変形させられる。この場合、ばね部材はその一端部が電池の他方の端部に支持され、他端部が外殻の内壁に設けられた支持部材に支持されるコイルばねであることが好ましい。
【００１１】
ばね部材は、例えば、基端部が外殻の内壁に固定され、かつ先端部が第２の接点部に形成された板ばねである。板ばねは、保持部材の押圧により、基端部を起点に撓み変形させられて保持されることが好ましい。板ばねは、例えば、基端部を有する第１の本体部と、先端部を有する第２の本体部と、第１及び第２の本体部を接続し、これら本体部よりも細幅に形成された接続部とによって一体に形成される。この場合、板ばねが復元されると、その復元力によって、板ばねの先端部が第１の接点部に押圧して接触すると共に、第２の本体部が接続部を起点に折り曲げられる。
【００１２】
第２の接点部に電気的に接続されることにより、上記回路とは別の回路の動作を切り替える第３の接点部を備えていても良い。この場合、ばね部材の復元力が解放されることにより、第２の接点部が変位し、第３及び第２の接点部の電気的な接続が切断されると共に、第１及び第２の接点部が電気的に接続される。
【００１３】
第３の接点部は例えば板ばねで構成され、その一面から突出する突出部を有する。第１の接点部は、例えば絶縁膜を介して第３の接点部の上記一面に固定される、このとき、突出部の突出高さは、第１の接点部の高さより高い。ばね部材が変形した状態で、第２の接点部は、突出部の先端部に当接すると共に、第１の接点部を覆うように配置される。ばね部材の復元力により、第２の接点部が変位することによって、突出部を介して、第３の接点部が押圧され撓み変形させられると共に、第１の接点部を覆う第２の接点部の一部が第１の接点部に接触する。その接触した後は第１の接点部を介して、第３の接点部がばね部材によって押圧されて撓み変形させられ、第３の接点部の突出部が第２の接点部から離間する。
【００１４】
回路は、例えば第１及び第２の回路を含む。第１及び第２の回路それぞれは、第１及び第２の接点部それぞれに電気的に接続される。第２の接点部が第１の接点部に電気的に接続され、又は切断されて、第１回路と第２の回路との接続状態が変化するとき、第１及び第２の回路それぞれは、例えば、一方が電源であり、他方が電源からの供給電力により動作する動作回路である。
【発明の効果】
【００１５】
本発明においては、保持部材が変位させられて、ばね部材への押圧状態を変化させることにより、接点接続の切替が行われるので、飲み込み型医療機器を分解せずに、簡単な構成で、回路動作を切り替えることができる。
【発明を実施するための最良の形態】
【００１６】
以下本発明について図面を用いて説明する。
図１〜３は、本発明の動作切替機構がカプセル内視鏡に適用された第１の実施形態を示す。なお、以下に説明する実施形態においては、飲み込み型医療機器の動作の切替として、カプセル内視鏡の電源の投入を例としている。なお、以下の説明においては、カプセル外殻１１の軸が図１における左右方向に延びるものとし、図１における左右上下を左右上下として説明する。
【００１７】
カプセル内視鏡１０は、嚥下されることにより体内に飲み込まれ、体内の様子を観察することができる飲み込み型医療機器である。図１に示すようにカプセル内視鏡１０は、その内部がカプセル外殻１１で密閉されて構成される。カプセル外殻１１は、円筒形状の本体部１１Ｊと、本体部１１Ｊの両端部に連設され、外側に膨らんで略半球面状に形成される一端面（右端面）１１Ａ及び他端面（左端面）１１Ｂとによって構成される。カプセル外殻１１の右端面１１Ａは、被写体が撮像でき、かつ照明光が外部に照射できるように、透明カバーで構成されると共に、カプセル外殻１１の他の部分は不透明カバーで構成される。
【００１８】
カプセル外殻１１の内部には、被写体を撮像するための撮像素子１２と、撮像素子１２に被写体像を結像させるためのレンズ１３と、各種回路を備える回路ユニット１４（第１の回路）と、電池から構成され、回路ユニット１４に電力を供給するための電源１５（第２の回路）と、体内を照明するための光源装置１６とが設けられる。
【００１９】
カプセル外殻１１の左端面１１Ｂの先端部Ｙには、軸が左右方向に延びる略円柱形の穴２１が設けられる。先端部Ｙにおいて、カプセル外殻１１の内壁１１Ｃには、穴２１を取り囲むように円環状のパッキン２２（被密着部）が固着されている。パッキン２２は、例えば生体適合性が良好なゴム、樹脂等で形成され、断面四角形に形成される。なお、本実施形態では、内壁１１Ｃに穴２１を取り囲み、穴２１に連続する凹陥部２１Ｅが設けられ、その凹陥部２１Ｅにパッキン２２が嵌合される。
【００２０】
カプセル外殻１１の左端面１１Ｂの内壁１１Ｃ側には、金属で構成される第１の接点部２４と、細長の金属で形成される板ばね２５が配置されている。第１の接点部２４は、穴２１より下側において内壁１１Ｃに固定されており、例えば金属片が接着剤等によって内壁１１Ｃに接着されて形成され、又は金属が蒸着されることによって内壁１１Ｃに形成される。
【００２１】
図３に示すように、板ばね２５は、略同一幅を有する第１及び第２の本体部２５Ｂ、２５Ｃと、これら第１及び第２の本体部２５Ｂ、２５Ｃを接続し、第１及び第２の本体部２５Ｂ、２５Ｃより細幅の接続部２５Ｄによって一体に形成される。図１に示すように、第１の本体部２５Ｂの上端部２５Ａは、穴２１の右上側の内壁１１Ｃに、接着剤等で固定され、板ばね２５の基端部を構成する。第１の本体部２５Ｂは、上端部２５Ａから僅かに左側に湾曲しつつ下方向に延出する。
【００２２】
板ばね２５の第２の本体部２５Ｃは、その下端部が第１の接点部２４に近づくように左側に折り曲げられており、折り曲げ先端部２５Ｅに形成される。折り曲げ先端部２５Ｅは、図２に示すように、板ばね２５が復元された状態では、第１の接点部２４に接触する第２の接点部を構成する
【００２３】
回路ユニット１４及び電源１５は、それぞれ第１の接点部２４及び板ばね２５（第２の接点部）に導線等によって導通される。板ばね２５の折り曲げ先端部２５Ｅが、第１の接点部２４に接触し、第１の接点部２４と折り曲げ先端部２５Ｅとが電気的に接続すると、電源１５から回路ユニット１４へ電力が供給される。また、折り曲げ先端部２５Ｅが第１の接点部２４から離間し、これらが電気的に切断されると、回路ユニット１４には電源１５から電力が供給されない。
【００２４】
回路ユニット１４への電源の供給が開始されると、回路ユニット１４の駆動が開始され、光源装置１６から照明光が照射されると共に、撮像素子１２が駆動され映像信号の生成が開始される。回路ユニット１４の駆動開始後、カプセル内視鏡１０は患者等の被検査者によって嚥下される。嚥下されたカプセル内視鏡１０は、光源装置１６の照明光を用いて体内（被写体）を照明し、撮像素子１２によって、照明した被写体を撮像し、画素信号が生成される。
【００２５】
穴２１の上方における内壁１１Ｃは、その一部が左右方向に対して垂直な平面部１１Ｈに形成される。平面部１１Ｈには、軸方向が上下方向及び左右方向に直交し平面部１１Ｈに沿って延びる、ヒンジ部５１が取り付けられており、そのヒンジ部５１には保持部材５０が連結される。保持部材５０は、立設した状態で、上下方向に対して垂直な面に対して略平行に配置される棒状部材、又は板状部材である。保持部材５０はヒンジ部５１を中心に平面部１１Ｈに対して回動可能である。保持部材５０は、図１に示すように、保持部材５０の底面５０Ｄが平面部１１Ｄに当接して立設する状態において、ヒンジ部５１の下側に連結している。保持部材５０は立設した状態から上方向に向けておよそ９０°回動することはできるが、下方向に向けては、底面５０Ｄが平面部１１Ｄに当たるため回動することができない。
【００２６】
カプセル外殻１１の内部において、先端部Ｙと板ばね２５の間には、防水部材２３が設けられる。防水部材２３は、穴２１の内部に一部が挿入する内側挿入部２３Ａと、内側挿入部２３Ａの右端部に一体に形成される密着部２３Ｂとを備える。内側挿入部２３Ａは略円柱状に形成されると共に、その左端部が、カプセル外殻１１の左端面１１Ｂの外壁１１Ｄの曲率に一致するように中央部が僅かに膨らんで形成される。
【００２７】
密着部２３Ｂは、その径が内側挿入部２３Ａの径よりも大きくかつ右側（すなわち、外殻１１の内部側）に向かうにつれて徐々に大きくなり、密着部２３Ｂの右端面２３Ｃが略平面状に形成された略半球形に形成される。すなわち、防水部材は、穴２１の軸を中心に回転してできる回転体であって、防水部材２３及びパッキン２２の軸は、穴２１の軸に一致する。
【００２８】
内側挿入部２３Ａは、その左端部が穴２１の内部に配置される。また、内側挿入部２３Ａの右端部及び密着部２３Ｂは、カプセル外殻１１の内部に配置される。内側挿入部２３Ａの外周面は、穴２１及びパッキン２２の内周面に密着しておらず、防水部材２３は、カプセル外殻１１の外部又は内部から押圧等されることにより、カプセル外殻１１に対して、左右に変位することが可能である。
【００２９】
密着部２３Ｂの右端面２３Ｃは、板ばね２５の第１の本体部２５Ｂの左面に固着され、これにより、板ばね２５と防水部材２３とは一体に形成される。防水部材２３は、例えば生体適合性の良好なゴム、樹脂等で形成され、板ばね２５との絶縁性を保つために好ましくは絶縁体で形成される。また、高いシール性を確保しやすくするために、防水部材２３は、弾性を有し、パッキン２２と同一の材料で形成されることが好ましい。
【００３０】
カプセル内視鏡１０は、工場出荷時（すなわち、初期状態では）略直方体の箱形のケース部材４０に格納され、その格納された状態で使用される直前まで保管される。ケース部材４０は、その底面４１から略円柱の突起４２が突出している。また、ケース部材４０の底面４１に対向する面４３は開口しており、その開口された面４３は、内部にカプセル内視鏡１０が格納されているとき、例えば、不図示の蓋部によって閉塞されている。ケース部材４０は、カプセル内視鏡１０を保護するために、ある程度の硬度を有するが、外部から押圧されると内側に撓み変形することが可能である。
【００３１】
カプセル内視鏡１０は、その左端面１１Ｂが底面４１に対向するように、ケース部材４０の内部に格納されることにより、突起（外側挿入部）４２の先端部が穴２１の内部に挿入される。但し、初期状態において、突起４２の先端部は、内側挿入部２３Ａの左端部から離間しており、突起４２によって防水部材２３は押圧されていない。
【００３２】
初期状態において、保持部材５０は、ヒンジ部５１に支持されると共に、その底面５０Ｄが平面部１１Ｈに当接して平面部１１Ｈに立設される。立設された保持部材５０は、板ばね２５の第１の本体部２５Ｂの左面を押して、基端部２５Ａを起点に板ばね２５を右方向に撓み変形させ、その状態で保持する。撓み変形させられた板ばね２５は、上記保持部材５０の押圧の反作用によって、保持部材５０にばね力を作用させている。すなわち、保持部材５０は平面部１１Ｈと板ばね２５によって挟持されて立設される。上記のように、板ばね２５が右方向に撓み変形することにより、折り曲げ先端部２５Ｅは第２の接点部２４から離間している。なお、保持部材５０に作用されるばね力は、輸送時の衝撃等によって防水部材２３を介して板ばね２５が押圧されても、板ばね２５が保持部材５０から離間しない程度の力である。また、初期状態において、密着部２３Ｂの外周面２３Ｅは、パッキン２２から離間している。
【００３３】
カプセル内視鏡１０の使用が開始されるとき、ケース部材４０の底面４１が外部から押圧され、突起４２が右方向に変位する。これにより、防水部材２３及び板ばね２５は押圧されて、板ばね２５は基端部２５Ａを起点にさらに右方向に撓み変形する。この撓み変形により、板ばね２５の第１の本体部２５Ｂは右方向に変位し、保持部材５０から離間され、保持部材５０が板ばね２５から作用されるばね力から解放される。このような状態で、カプセル内視鏡１０の上面側が鉛直下向きに向けられると、図２に示すように、保持部材５０はヒンジ部５１を中心に、自重によって図２の上向きに回動して倒される。
【００３４】
保持部材５０が倒された後、カプセル内視鏡１０がケース部材４０から取り出されると、突起４２が穴２１から抜き取られ、板ばね２５への突起４２からの押圧が解放され、板ばね２５が左方向に復元する。この復元によって、板ばね２５の第１の本体部２５Ｂは左方向に変位するが、この左方向への変位は保持部材５０によって妨げられない。したがって、防水部材２３は、第１の本体部２５Ｂと共に、ばね部材２５の復元力によって初期状態の位置より左側に変位し、防水部材２３の密着部２３Ｂもカプセル外殻１１の内部から内壁１１Ｃに向けて変位する。そして、密着部２３Ｂの外周面２３Ｅは、パッキン２２に全周にわたって密着し、穴２１がシールされる。また、内側挿入部２３Ａも、左方向に変位し、その左端部が外壁１１Ｄと略同一曲率面上に配置される。
【００３５】
同様に、折り曲げ先端部２５は、板ばね２５の復元力によって、初期状態の位置よりさらに左側の位置に変位する。これにより、板ばね２５の折り曲がり先端部２５は第１の接点部２４に接触する。折り曲げ先端部２５Ｅ及び第１の接点部２４が接触すると、回路ユニット１４の駆動が開始される。
【００３６】
なお、第１の本体部２５Ｂは初期状態に比べて平面部１１Ｈに近づいているので、保持部材５０は、下面側が再び鉛直下向きに向けられても、その回動が第１の本体部２５Ｂによって阻害されるため、再び立設することはできない。
【００３７】
なお、板ばね２５は、折り曲げ先端部２５Ｅが第１の接点部２４に接触した状態からさらに左方向に押圧されている。このとき、第２の本体部２５Ｃは細幅の接続部２５Ｄを起点に右側に折り曲げられているので、比較的小さな力で折り曲げられている。したがって、板ばね２５は、第１の接点部２４に接触した後も、復元力によって左方向に充分に撓み変形可能であるので、密着部２３Ｂは、左方向に充分に押圧されてパッキン２２に密着し、これらの間は高い密着性が確保される。
【００３８】
なお、回路ユニット１４への電源供給を停止するときには、カプセル内視鏡１０は、突起４２の先端部が内側挿入部２３Ａの左端部に対向するように、再びケース部材４０に格納される。そして、ケース部材４０の底面４１が押圧されることによって、突起４２が穴２１内部に挿入され、突起４２及び防水部材２３を介して板ばね２５が左方向に押圧される。その外部からの押圧状態が維持される間に、カプセル内視鏡１０の下面が鉛直下向きに向けられ、保持部材５０が回動されて立設される。その後、外部から押圧が解放され、板ばね２５が復元し、図１に示すように、板ばね２５の第１の本体部２５Ｂが保持部材５０の先端部に当接する。この状態において、立設された保持部材５０は、板ばね２５を押圧し、折り曲げ先端部２５Ｅが第１の接点部２４から離間した状態を保持する。
【００３９】
以上のように本実施形態では、外力により保持部材５０を倒すことによって、２つの接点部が接続されるので、カプセル内視鏡１０を分解せずに、効率的に電源が投入される。また、電源１５は、初期状態において、回路ユニット１４から電気的に分離されているので、初期状態における電源１５の電力消費を抑えることができる。また、電源投入後、穴２１のシール性は、密着部２３Ｂ及びパッキン２２から形成されるシール構造により確保されるので、カプセル内視鏡１０の内部への水等の浸入が防止され、カプセル外殻１１内部の気密性が確保される。さらに、防水部材２３を再び押圧すると共に、支持部材５０を立設させることによって、一旦投入された電源を簡単に切断することもできる。
【００４０】
なお、カプセル内視鏡１０の外殻１１には、使用者が電源ＯＮあるいは電源ＯＦＦにしたい場合に、どちら向きに重力を作用させたら良いか確認するためのＯＮマーク６１およびＯＦＦ６２が印刷などにより設けられている。電源を投入したい場合は、ＯＮマーク６１が、電源を切断したい場合はＯＦＦマーク６２が鉛直上向きになるようにすれば良い。なお、これらのマークが付される場合、マークを視認できるよう、ケース部材４０は透明である。また、本実施形態では、ケース部材４０及びカプセル外殻１１の一部が透明に形成され、保持部材５０の状態が外部から視認可能になっていても良い。このとき、保持部材５０には視認しやすいように適宜マークが付されていても良い。また、内側挿入部２３Ａは省略され、防水部材２３は略半球の密着部２３Ｂのみから構成されても良い。この場合、密着部２３Ｂが直接的に突起４２に押圧されることとなる。
【００４１】
図４〜６は、保持部材の第１〜第３の変形例を示す。本実施形態では、初期状態において、保持部材５０は、上下方向に対して垂直な垂直面に平行であったが、図４に示すように、その垂直面に対して下方向に傾けられていても良い。但し、この場合も、保持部材５０の底面５０Ｄは、第１の実施形態と同様に、初期状態において平面部１１Ｈに平行になり、平面部１１Ｈに当接する。
【００４２】
また、本実施形態において、保持部材５０は、先端部以外は、略同一厚さ（上下方向における厚さ）を有していたが、例えば図５に示すように底面５０Ｄ側の厚さが大きくされて、断面Ｌ字形状に形成されていても良い。図４、５に示した第１及び第２の変形例によれば、初期状態において、カプセル内視鏡１０に振動や衝撃が加えられても、保持部材５０は上方向に向けて回動しにくくなる。
【００４３】
さらに、図６に示すように、保持部材５０は、相対的に長い両長腕５０Ａ、５０Ｂ、及び相対的に短い両短腕５０Ｃ、５０Ｄによって形成される十字状の支持部５０Ｅと、支持部材５０Ｅの中央から支持部材５０Ｅに対して垂直に延びる棒状部５０Ｆで構成される。棒状部５０Ｆは、各腕５０Ａ〜５０Ｄそれぞれの長さの２倍以上の長さである。
【００４４】
本変形例の保持部材５０は、支持部５０Ｅの底面が平面部１１Ｈに当接すると共に棒状部５０Ｆの先端部が板ばね２５に当接し、かつ平面部１１Ｈと板ばね２５によって挟持されることによって、平面部１１Ｈに立設される。また、両短椀５０Ｃ、５０Ｄのうち少なくともいずれか一方は、糸によって平面部１１Ｈに接続される。
【００４５】
保持部材５０には、第１の実施形態と同様に、板ばね２５が外力によって押圧されることによって、ばね力が作用されなくなる。したがって、板ばね２５が外力によって押圧された状態で、カプセル内視鏡１０の下面側又は上面側が鉛直下向きに向けられることによって、保持部材５０は倒される。このとき、保持部材５０に接続する糸は短く、倒された保持部材５０は平面部１１Ｈから大きく離れることはなく、他の保持部材と同様に再度立設することも可能である。なお、本変形例の保持部材５０は、平面部１１Ｈに立設可能であれば、上記構成に限らず、例えば、円柱、角柱、円錐、角錐、画鋲形等であっても良い。また、本実施形態では、電力供給が一旦開始された後、再び電源供給を停止する必要がなければ、ヒンジ部５１及び糸は省略されても良い。但し、電源投入後に保持部材５０がカプセル外殻１１の内部を自由に動けるので、その移動によって異音が発生し、患者に不要な不安を与える虞がある。そのため、内壁１１Ｃは、保持部材５０を捕獲するための機構として例えば粘着部を具備することが好ましい。
【００４６】
図７、８は、第２の実施形態に係るカプセル内視鏡を示すための断面図である。第２の実施形態におけるカプセル内視鏡１０の内部には、回路として、回路ユニット１４に加えて副回路ユニット１９が設けられ、さらに第３の接点部２９が設けられている点が第１の実施形態と相違する。以下、第１の実施形態との相違点を中心に説明する。
【００４７】
本実施形態における副回路ユニット１９は、例えば、電力が供給されることにより、時間を計時するタイマーである。回路ユニット１４及び副回路ユニット１９それぞれは、第１の接点部２４、第３の接点部２９に導通していると共に、電源１５は板ばね２５に導通している。
【００４８】
第３の接点部２９は、金属等の導電体から成る板ばねで構成される。第３の接点部２９は、略同一幅を有する第１及び第２の本体部２９Ｂ、２９Ｃと、これら第１及び第２の本体部２９Ｂ、２９Ｃを接続し、第１及び第２の本体部２９Ｂ、２９Ｃより細幅の接続部２９Ｄによって一体に形成される。図８に示すように、第２の本体部２９Ｃは接続部２９Ｄを起点に左方向に容易に折り曲げ可能である。
【００４９】
第１の本体部２９Ｂは、板ばねの基端部を構成し、穴２１の右下側において内壁１１Ｃに固定される。第２の本体部２９Ｃは、接続部２９Ｄを介して第１の本体部２９Ｂから上方向に延出する。また、第２の本体部２９Ｃは、その上端部が右方向に突出して突出部２９Ｅに形成される。第２の本体部２９Ｃの右面側には、さらに第１の接点部２４が固着されている。第１の接点部２４と第３の接点部２９との間は、絶縁膜が被膜されており、これにより、第１の接点部２４と第３の接点部２９との間は絶縁される。なお、突出部２９Ｅの突出高さは、第１の接点部２４の高さより高く、突出部２９Ｅの先端部は、第１の接点部２４の右面よりも右側に配置される。
【００５０】
板ばね２５は、本実施形態では、穴２１の左上方において、内壁１１Ｃに固定される上端部２５Ｘと、左方向に僅かに湾曲しつつ上端部２５Ｘから下方に向けて延出する延出部２５Ｙと、延出部２５Ｙの下端部に連設される先端部２５Ｚから成る。先端部２５Ｚは、第１及び第３の接点部２４、２９に接触するための第２の接点部となる。
【００５１】
板ばね２５は、初期状態において、第１の実施形態と同様に立設する保持部材５０によって押圧され、右方向に撓み変形させられた状態にある。その撓められた状態で、板ばね２５の先端部２５Ｚは、第３の接点部２９の突出部２９Ｅに接触していると共に、その先端部２５Ｚの下側部分が第１の接点部２４の右面を覆うように配置される。したがって、初期状態において、副回路ユニット１９は、電源１５に電気的に接続され、電源１５から電力が供給されている。一方、回路ユニット１４には、電源１５に電気的に接続されず、電源１５から電力が供給されない。なお、初期状態において、第３の接点部２９と先端部２５Ｚの接触を充分に確保するために、第３の接点部２９は板ばね２５のばね力によって僅かに左方向に押圧されていた方が良い。
【００５２】
保持部材５０が倒されることによって板ばね２５が復元すると、その板ばね２５の復元力により、板ばね２５の先端部２５Ｚは左方向に変位し、第３の接点部２９は突出部２９Ｅを介して左方向に押圧される。この押圧により、第３の接点部２９は、接続部２９Ｄを起点に左方向に折り曲げられて撓み変形し、図８に示すように、第２の接点部２４の右面を左方向に傾けさせ、第２の接点部２４の右面を、先端部２５Ｚの第２の接点部２４を覆う部分に接触させる。これらの接触後は、板ばね２５によって、第１の接点部２４を介して、第３の接点部２９が押圧されて撓み変形させられ、突出部２９Ｅが板ばね２５の先端部２５Ｚから離間させられる。これにより、回路ユニット１４は、電源１５に電気的に接続され、電源１５から電力が供給されると共に、電源１５から副回路ユニット１９への電力供給は停止される。
【００５３】
図９は本発明の第４の実施形態に係るカプセル内視鏡の断面図である。本実施形態では、ばね部材として板ばねの代わりにコイルばねが設けられた実施形態である。また、防水部材も省略され、電池３１の左端面３１Ｌがパッキン２２（被密着部）に密着する密着部となる。以下、本実施形態について、第１の実施形態との相違点を中心に説明する。
【００５４】
本実施形態では、カプセル外殻１１の左端面１１Ｂが左右方向に垂直な平面に形成されると共に、その左端面１１Ｂの内壁１１Ｃ側の中央部に、右方向に立ち上げられるボス部３６が設けられる。ボス部３６の立ち上がり端面３６Ａには、第４の実施形態と同様に、穴２１を取り囲むように円環状に形成されたパッキン２２が取り付けられる。
【００５５】
左端面１１Ｂの内壁１１Ｃにおいて、ボス部３６の下側には第１の端子部２４が設けられる。第１の端子部２４は、左端面１１Ｂの内壁１１Ｃに固定される基端部２４Ａと、その基端部２４Ａから右上に向けて延出する延出部２４Ｂと、延出部２４Ｂの上端が左上に折り曲げられて形成された折り曲げ部２４Ｃとから成る。第１の端子部２４は、金属等の導電体であって板ばねで構成され、折り曲げ部２４Ｃと延出部２４Ｂとの接続部２４Ｅが、最も右側に位置し、接続部２４Ｅが後述する電池３１の左端面３１Ｌに接触する。
【００５６】
左端面１１Ｂの内壁１１Ｃにおいて、ボス部３６の上側には、ヒンジ部５１が取り付けられており、ヒンジ部５１には、保持部材５０が回動可能に支持されている。保持部材５０は第２の変形例（図５参照）のように断面Ｌ字形を呈する以外は、第１の実施形態と同様である。カプセル外殻１１の本体部１１Ｊの内壁１１Ｃには、左右方向における同一の位置に、第１及び第２の突起（支持部材）３３Ａ、３３Ｂが連設される。第１及び第２の突起３３Ａ、３３Ｂは、内壁１１Ｃから上下方向に平行に内側に向けて突出する第１の突出部３４と、第１の突出部３４の先端部から左方向に向けて突出する第２の突出部３５によって鉤状に形成される。
【００５７】
カプセル外殻１１の内部には、電池（第２の回路）３１と、コイルばね３２とがカプセル外殻１１に同心的に配置される。電池３１はボタン電池であって、その外径がカプセル外殻１１の本体部１１Ｊの内径に略等しい。電池３１は、その左端面３１Ｌがカプセル外殻１１の左端面１１Ｂの内壁１１Ｃに対向するように配置されている。なお、本実施形態において、電池３１は、左右方向に直列接続されて並べられた２つのボタン電池３１Ｄで構成されるが、勿論１つ又は３つ以上の電池から構成されても良い。電池３１の左端面３１Ｌは、第１の端子部２４に接触する部分以外は、絶縁膜で被膜されている。このような構成により、電池３１の端面の金属部分が外部に露出することが防止される。勿論、使用態様によっては絶縁膜が省略されても良い。
【００５８】
コイルばね３２は、その内周面側に第１及び第２の突起３３Ａ、３３Ｂそれぞれの第２の突出部３５が挿入され、コイルばね３２の軸が左右方向に対して傾くのが防止される。コイルばね３２の一端部３２Ａは、第１の突起３３Ａの第１の突出部３４に当接して支持される。また、電池３１は、その右端面３１Ｒ及び左端面３１Ｌそれぞれがマイナス電極、プラス電極となり、右端面３１Ｒはコイルばね３２の他端部３２Ｂに当接して支持されている。
【００５９】
カプセル外殻１１の内部には、さらに、第１の実施形態と同様に、回路ユニット１４、撮像素子１２、光源装置１６、レンズ１３が設けられている。回路ユニット１４は、コイルばね３２に例えば導線によって接続されており、これにより回路ユニット１４はコイルばね３２を介して、電池３１のマイナス電極に導通している。一方、回路ユニット１４は、例えば、不図示の導線を介して、第１の端子部２４に導通している。したがって、電池３１の左端面３１Ｌ（第２の端子部）が第１の端子部２４に接触すると、電池３１から回路ユニット１４へ電力が供給される。また、電池３１の左端面３１Ｌが第１の接点部２４から離間し、これらが電気的に切断されると、回路ユニット１４には電池３１から電力が供給されない。
【００６０】
初期状態において、カプセル内視鏡１０は突起４２を有するケース部材４０の内部に格納され、突起４２は穴２１に挿入されている。突起４２の先端部は、立ち上がり先端面３６Ａと略同一平面上に配置される。
【００６１】
本実施形態の初期状態においても、保持部材５０は平面部１１Ｃに立設されており、電池３１の左端面３１Ｌは、その立設する保持部材５０によって右方向に押圧させられて、第１の端子部２４及びパッキン２２から離間した状態に保持される。したがって、初期状態において電池３１から回路ユニット１４には電力が供給されない。また、コイルばね３２は、電池３１を介して保持部材５０に押圧され、圧縮変形した状態で保持される。
【００６２】
カプセル内視鏡１０の使用が開始されるとき、ケース部材４０の底面４１が、外部から押圧され、突起４２が右方向に変位する。変位した突起４２によって、電池３１は押圧されて右方向に変位し、電池３１の左端面３１Ｌは保持部材５０から離間する。また、コイルばね３２はさらに圧縮変形される。このような状態で、カプセル内視鏡１０の上面側が鉛直下向きに向けられると、第１の実施形態と同様に、保持部材５０はヒンジ部５１を中心に、自重によって回動して倒される。
【００６３】
保持部材５０が倒された後、突起４２が穴２１から抜き取られ、電池３１への突起４２による押圧が解放される。これにより、コイルばね３２は復元され、電池３１は左方向に変位する。ここで、保持部材５０は倒されており、電池３１はコイルばね３２の復元力によって初期状態の位置よりさらに左側の位置に変位する。したがって、電池３１の左端面３１Ｌは、第１の接点部２４の接続部２４Ｅに接触し、回路ユニット１４の駆動が開始される。また、電池３１の左端面３１Ｌは、パッキン２２にも密着し、電池３１の左端面３１Ｌとパッキン２２によって穴２１がシールされる。
【００６４】
以上のように、本実施形態でも、保持部材５０を倒すことによって、回路ユニット１４の駆動が開始される。また、回路ユニット１４の駆動が開始されると、電池３１の左端面３１Ｌとパッキン２２によって穴２１がシールされ、カプセル外殻１１の内部の気密性が確保される。また本実施形態では、コイルばね３２の内部に設けられた空間には、回路基板等配置することが可能であり、スペースの有効活用が可能となる。
【００６５】
なお、電池３１によって第１の端子部２４が押圧されるとき、第１の端子部２４は撓み変形させられているため、その復元力によって電池３１は右方向に向けて押圧されることになる。しかし、第１の端子部２４の復元力は、コイルばね３２の復元力に比べて小さいので、第１の端子部２４によって電池３１とパッキン２２の密着が妨げられることはない。また、初期状態において第１の端子部２４の接続部２４Ｅは、パッキン２２より右側に配置されるので、第１の接点部２４と電池３１の左端面３１Ｌとの接触は確実に確保される。なお電源投入後においては、接続部２４Ｅは、電池３１によって押圧され、左右方向においてパッキン２２と同一位置に配置される。
【００６６】
なお、本実施形態では、コイルばね３２の一端部３２Ａは、回路ユニット１４が装着される回路基板（不図示）のグランドパターンに当接させられることで、回路基板によって支持されていても良い。この場合、コイルばね３２と回路ユニット１４とを接続するための配線は不要になる。また、本実施形態の場合、コイルばね３２を用いているため、電池３１に加わる弾性が電池３１の底面周囲に均一に加わるので、電池３１が円滑に移動できると共に、電池３１の移動量を比較的大きく確保できる。
【００６７】
また、本実施形態においても、図１０に示す変形例のように、コイルばね３２の代わりに、板ばね１２５が用いられても良い。本変形例では、内壁１１Ｃから上下方向に平行に突出する突起（支持部）１３３Ａ、１３３Ｂに回路基板７３が設けられると共に、その回路基板７３の左面にグランドパターン７４が設けられる。そして、そのグランドパターン７４に半田付けされた板ばね１２５によって、電池３１及び防水部材２３が左方向に押圧付勢されている。このような構成によれば、本体部１１Ｊの内容積を小さくできる。
【００６８】
図１１は本発明の第４の実施形態に係るカプセル内視鏡の断面図である。本実施形態では、第２の実施形態と同様に、回路として、回路ユニット１４に加えて副回路ユニット１９が設けられ、さらに第３の接点部２９が設けられている点が第３の実施形態と相違する。また、本実施形態では、電池３１の左端面３１Ｌに電池３１とは別体のシート状密着部３８が貼付されている一方、パッキン２２が省略される。以下、第３の実施形態との相違点を中心に説明する。
【００６９】
シート状密着部３８は、例えば、ゴム、樹脂等の絶縁体で形成され、立ち上がり端面３６Ａに密着しやすいように弾性を有する。シート状密着部３８は、ボス部３６の立ち上がり端面３６Ａに一致した位置に設けられ、穴２１をシールするとき少なくとも穴２１の全体を閉塞するように形成される。また、カプセル外殻１１の左端面１１Ｂの内壁１１Ｃには、第２の実施形態と同様の構成を有する第１及び第３の接点部２４、２９が設けられる。
【００７０】
副回路ユニット１９は不図示の導線によって第３の接点部２９に導通していると共に、コイルばね３２を介して電池３２の右端面３２Ｒ（マイナス電極）に導通している。また、主回路ユニット１４は、第１の接点部２４に導通していると共に、コイルばね３２を介して電池３２の右端面３２Ｒ（マイナス電極）にも導通している。
【００７１】
本実施形態でも、初期状態において、電池３１の左端面３１Ｌは、立設される保持部材５０によって押圧されると共に、第３の接点部２９に接触している。したがって、初期状態においては副回路ユニット１９が駆動される。一方、保持部材５０が倒されると、電池３１はコイルばね３２の復元力により左方向に変位する。したがって、第３の接点部２９は、電池３１の左端面３１Ｌによって押圧されて撓み変形し、電池３１の左端面３１Ｌが第１の接点部２４に接触することとなる。すなわち、保持部材５０が倒されると、第２の実施形態と同様に主回路ユニット１４が駆動されることとなる。
【００７２】
このように、電池３１の左端面３１Ｌが第１の接点部２４に接触した状態では、シート状密着部３８は、ボス部３６の立ち上がり先端面３６Ａ（被密着部）に密着しており、穴２１がシールされる。ここで、第３の接点部２９は第２の実施形態と同様に接続部２９Ｄを起点に小さな力で折り曲げられることが可能であるので、シート状密着部３８はコイルばね３２の復元力によって大きな力で押圧されて立ち上がり先端面３６Ａに密着する。
【００７３】
図１２は、本発明の第５の実施形態に係るカプセル内視鏡の一部を示す断面図である。第３の実施形態では、電池の左端面３１Ｌが密着部として直接パッキン２２に密着して、穴２１がシールされたが、本実施形態では、サブパッキン３７が設けられると共に、第４の実施形態と同様のシート状密着部３８が設けられ、パッキン２２、３７にシート状密着部３８が密着して、穴２１がシールされる。以下、本実施形態について第３の実施形態との相違点を中心に説明する。
【００７４】
本実施形態では、左端面１１Ｂの内壁１１Ｃには、パッキン２２を取り囲むように円環状のサブパッキン３７がパッキン２２に同心的に設けられる。パッキン２２及びサブパッキン３７は、本実施形態では、断面円形に形成されるが、第１の実施形態と同様に断面四角形に形成されても良い。
【００７５】
本実施形態では、穴２１に連通せず円環状に形成された断面半円の溝部２１Ｄがボス部３６の立ち上がり端面３６Ａに設けられ、溝部２１Ｄにパッキン２２が嵌合される。また、ボス部３６を取り囲むように、円環状の突起４７も設けられ、その突起４７の先端面にサブパッキン３７を嵌合するための、円環状で断面半円のサブ溝４７Ｂが設けられる。
【００７６】
本実施形態でも第３の実施形態と同様に、保持部材５０が設けられ、初期状態において保持部材５０は立設し、電池３１を押圧支持している。立設した保持部材５０が倒されると、コイルばね３１の復元力により、シート状密着部３８及び電池３１が左方向に変位させられる。そして、シート状密着部３８がパッキン２２に密着すると共に、電池３１の左端面３１Ｌがサブパッキン３７に密着し、これにより穴２１がシールされる。また、電池３１の左端面３１Ｌは第１の端子部２４に接触して、第３の実施形態と同様に回路ユニット１４の駆動が開始される。
【００７７】
以上のように、本実施形態では、電池３１とは別体のシート状密着部３８と、サブパッキン３７が設けられたことにより、カプセル外殻１１の内部の気密性がより確実に確保される。
【００７８】
図１３、１４は本発明における第６の実施形態に係るカプセル内視鏡を示す。上記各実施形態では、保持部材５０はカプセル外殻１１の内壁１１Ｃに立設されているが、本実施形態の保持部材５０は内壁１１Ｃに立設されず球形に形成される。以下本実施形態について、第２の実施形態との相違点を説明する。
【００７９】
本実施形態に係る内壁１１Ｃの穴２１の上方においては、内壁１１Ｃから突出する突出部８０が設けられ、その突出部８０の先端面８０Ａに半球状の凹部８１が設けられる。初期状態において、凹部８１の内部には、球形の保持部材５０が配置されている。凹部８１内部に配置された保持部材５０は、上記各実施形態と同様に、板ばね２５を右方向に押圧して撓み変形させており、その押圧の反作用によって板ばね２５によって左方向に押圧されている。したがって、保持部材５０は突出部８０（すなわち、内壁１１Ｃ）と、板ばね２５によって挟持されて保持されている。
【００８０】
一方、板ばね２５が突起４２によって外部から押圧されると、保持部材５０には板ばね２５からのばね力が作用されなくなり、保持部材５０は、図１４に示すように、カプセル外殻１１内部において、自重により凹部８１内部から他の場所へ移動することとなる。保持部材５０が移動しかつ外部からの押圧が解放されると、板ばね２５は初期状態の位置より左側に変位し、板ばね２５の先端部２５Ｚが第１の接点部２４に接続されることとなる。
【００８１】
保持部材５０は、内壁１１Ｃと板ばね２５によって移動が規制されており、カプセル外殻１１の内部において、内壁１１Ｃと板ばね２５との間の所定の空間（移動空間）しか移動することはできない。したがって、保持部材５０が、凹部８１の内部から移動した後において、他の部材等に干渉することが防止される。なお、内壁１１Ｃは曲面に形成されると共に、突出部８０が設けられることによって、保持部材５０は紙面に沿った方向にしか移動できないように規制される。
【００８２】
図１５、１６は本発明における第７の実施形態に係るカプセル内視鏡を示す。第６の実施形態においては、保持部材５０は、球形であったが、本実施形態では立方体に形成される。以下本実施形態について、第６の実施形態との相違点を説明する。
【００８３】
本実施形態においては、穴２１の上部には、第１の実施形態と同様に、平面部１１Ｈが設けられており、初期状態において保持部材５０は平面部１１Ｈと板ばね２５によって挟持されて支持されている。保持部材５０は、糸８５によって内壁１１Ｃに接続されており、初期状態において糸８５は最も張られた状態（緊張状態）にある。
【００８４】
板ばね２５が突起４２によって外部から押圧されると、保持部材５０には板ばね２５からのばね力が作用されなくなり、保持部材５０は自重によって、板ばね２５と平面部１１Ｈの間の位置から別の位置に移動する。したがって、板ばね２５が外部からの押圧から解放されると、板ばね２５は初期状態の位置よりも左方向に変位し、板ばね２５の先端部２５Ｚは第１の接点部２４に接触することとなる。なお、保持部材５０が別の位置に移動した後、糸８５は緊張状態から解放され、保持部材５０は、その自重によって一定範囲内を移動することになる。なお、第６及び第７の実施形態において、保持部材５０が球形又は立方体の例を示したが、板ばね２５と内壁１１Ｃによって挟持可能な形状であればこれらに限定されない。
【００８５】
なお、上記各実施形態において、突起４２はカプセル内視鏡１０を格納するためのケース部材４１に設けられるが、突起４２はケース部材４０に設けられていなくても良い。また、本発明における動作切替機構は、飲み込み型医療機器であれば、カプセル内視鏡以外にも適用可能である。また、電源の投入に限らず、複数の回路基板同士の接続を切り替えて、機能選択をおこなうような場合にも適用できる。
【図面の簡単な説明】
【００８６】
【図１】初期状態における第１の実施形態に係るカプセル内視鏡の一部を模式的に示し、一部を断面的に示した図である。
【図２】電源投入後の第１の実施形態に係るカプセル内視鏡の一部を模式的に示し、一部を断面的に示した図である。
【図３】板ばねを右側から見た平面図である。
【図４】第１の変形例に係る保持部材の断面図である。
【図５】第２の変形例に係る保持部材の断面図である。
【図６】第３の変形例に係る保持部材の斜視図である。
【図７】初期状態における第２の実施形態に係るカプセル内視鏡の一部を模式的に示し、一部を断面的に示した図である。
【図８】接続状態を切り替えた後の第２の実施形態に係るカプセル内視鏡の一部を模式的に示し、一部を断面的に示した図である。
【図９】初期状態における第３の実施形態に係るカプセル内視鏡の一部を模式的に示し、一部を断面的に示した図である。
【図１０】第３の実施形態の変形例に係るカプセル内視鏡を示した断面図である。
【図１１】初期状態における第４の実施形態に係るカプセル内視鏡の一部を模式的に示し、一部を断面的に示した図である。
【図１２】初期状態における第５の実施形態に係るカプセル内視鏡の一部を模式的に示し、一部を断面的に示した図である。
【図１３】初期状態における第６の実施形態に係るカプセル内視鏡の一部を示す断面図である。
【図１４】接続状態を切り替えた後の第６の実施形態に係るカプセル内視鏡の一部を示す断面図である。
【図１５】初期状態における第７の実施形態に係るカプセル内視鏡の一部を示す断面図である。
【図１６】接続状態を切り替えた後の第７の実施形態に係るカプセル内視鏡の一部を示す断面図である。
【符号の説明】
【００８７】
１０  カプセル内視鏡
１１  カプセル外殻
１１Ｂ  左端面（他端面）
１１Ｃ  内壁
１１Ｄ  外壁
１４  回路ユニット（第１の回路）
１５  電源（第２の回路）
２１  穴
２３  防水部材
２３Ａ  内側挿入部
２３Ｂ  密着部
２４  第１の接点部
２５  板ばね
２５Ｅ  折り曲げ先端部（第２の接点部）
２９  第３の接点部
３２  コイルばね
４０  ケース部材（保持部）
４２  突起（外側挿入部）
５０  保持部材
５１  ヒンジ部
【図１】
2008264083.tif 000003
【図２】
2008264083.tif 000004
【図３】
2008264083.tif 000005
【図４】
2008264083.tif 000006
【図５】
2008264083.tif 000007
【図６】
2008264083.tif 000008
【図７】
2008264083.tif 000009
【図８】
2008264083.tif 000010
【図９】
2008264083.tif 000011
【図１０】
2008264083.tif 000012
【図１１】
2008264083.tif 000013
【図１２】
2008264083.tif 000014
【図１３】
2008264083.tif 000015
【図１４】
2008264083.tif 000016
【図１５】
2008264083.tif 000017
【図１６】
2008264083.tif 000018